(57)【要約】      （修正有）【課題】小型化を図り、Ｆナンバーが２．８以下の明るさ、半画角が３５度以上の広角化および変倍比が５倍程度を実現し、軸外収差を良好に補正し、第２レンズ群内の相対偏芯に対する感度を適切に設定する負正正の３群ズームレンズ系を提供する。【解決手段】物体側から順に、負屈折力の第１レンズ群Ｇ１と、正屈折力の第２レンズ群Ｇ２と、正屈折力の第３レンズ群Ｇ３とから構成され、変倍に際し、第１レンズ群Ｇ１と第２レンズ群Ｇ２が物体側に移動し、第３レンズ群が像側に移動し、第２レンズ群Ｇ２が４枚のレンズから構成され、第２レンズ群Ｇ２中の最も像側のレンズが、少なくとも一方の面に非球面を有し、さらに（１）２．１＜ｆｔ／ｆ２＜２．７、（２）｜ｆ２／ｆ２４｜＜０．３の条件式を満足する。但し、ｆｔ：長焦点距離端の全系の焦点距離、ｆ２：第２レンズ群Ｇ２の焦点距離、ｆ２４：第２レンズ群Ｇ２中の最も像側のレンズの焦点距離。【選択図】図１
2015215406.tif 000002
【特許請求の範囲】
【請求項１】
物体側から順に、負の屈折力の第１レンズ群と、正の屈折力の第２レンズ群と、正の屈折力の第３レンズ群とから構成され、短焦点距離端から長焦点距離端への変倍に際し、第１レンズ群と第２レンズ群が物体側に移動し、第３レンズ群が像側に移動するズームレンズ系において、
第２レンズ群が４枚のレンズから構成されていること；
第２レンズ群中の最も像側に位置するレンズが、少なくとも一方の面に非球面を有していること；及び
次の条件式（１）、（２）を満足すること；
を特徴とするズームレンズ系。
（１）２．１＜ｆｔ／ｆ２＜２．７
（２）｜ｆ２／ｆ２４｜＜０．３
但し、
ｆｔ：長焦点距離端における全系の焦点距離、
ｆ２：第２レンズ群の焦点距離、
ｆ２４：第２レンズ群中の最も像側に位置する非球面レンズの焦点距離。
【請求項２】
請求項１記載のズームレンズ系において、第２レンズ群中の最も像側に位置する非球面レンズは、物体側に凸面を向けたメニスカス形状を有しており、次の条件式（３）、（４）を満足するズームレンズ系。
（３）−０．４０＜（ｒ２４ａ−ｒ２４ｂ）／（ｒ２４ａ＋ｒ２４ｂ）＜０．３５
（４）０．４＜ｒ２４ｂ／ｆ２＜１．３
但し、
ｒ２４ａ：第２レンズ群中の最も像側に位置する非球面メニスカスレンズの物体側の面の曲率半径、
ｒ２４ｂ：第２レンズ群中の最も像側に位置する非球面メニスカスレンズの像側の面の曲率半径、
ｆ２：第２レンズ群の焦点距離。
【請求項３】
請求項１または２記載のズームレンズ系において、第２レンズ群中の最も像側に位置する非球面レンズは、プラスチックレンズからなるズームレンズ系。
【請求項４】
請求項１ないし３のいずれか１項記載のズームレンズ系において、第２レンズ群は、物体側から順に、正レンズと、正レンズと、負レンズと、正または負の上記非球面レンズとの４枚のレンズから構成されているズームレンズ系。
【請求項５】
請求項４記載のズームレンズ系において、第２レンズ群中の最も物体側の正レンズと最も像側の非球面レンズの間に位置する正レンズと負レンズは、接合されているズームレンズ系。
【請求項６】
請求項４または５記載のズームレンズ系において、第２レンズ群中の最も物体側に位置する正レンズは、少なくとも一方の面に非球面を有しているズームレンズ系。
【請求項７】
請求項１ないし６のいずれか１項記載のズームレンズ系において、第１レンズ群は、物体側から順に、負レンズと、少なくとも一方の面に非球面を有する正レンズとの２枚のレンズから構成されており、次の条件式（５）、（６）を満足するズームレンズ系。
（５）ｎ１２＞１．９
（６）ν１２＜２２
但し、
ｎ１２：第１レンズ群中の正レンズのｄ線に対する屈折率、
ν１２：第１レンズ群中の正レンズのｄ線に対するアッベ数。
【請求項８】
請求項７記載のズームレンズ系において、第１レンズ群中の負レンズは、少なくとも一方の面に非球面を有しているズームレンズ系。
【請求項９】
請求項１ないし８のいずれか１項記載のズームレンズ系において、次の条件式（７）、（８）を満足するズームレンズ系。
（７）４．２＜ｍ２ｔ／ｍ２ｗ＜５．８
（８）１．０２＜ｍ３ｔ／ｍ３ｗ＜１．２０
但し、
ｍ２ｔ：長焦点距離端における無限遠合焦時の第２レンズ群の横倍率、
ｍ２ｗ：短焦点距離端における無限遠合焦時の第２レンズ群の横倍率、
ｍ３ｔ：長焦点距離端における無限遠合焦時の第３レンズ群の横倍率、
ｍ３ｗ：短焦点距離端における無限遠合焦時の第３レンズ群の横倍率。
【請求項１０】
請求項１ないし９のいずれか１項記載のズームレンズ系において、第３レンズ群は、正単レンズから構成されており、かつ、フォーカシング時に移動するフォーカスレンズ群を構成するズームレンズ系。
【発明の詳細な説明】
【技術分野】
【０００１】
本発明は、ズームレンズ系に関する。
【背景技術】
【０００２】
特許文献１−４には、小型化（薄型化、レンズ全長の短縮化）に加えて、Ｆナンバーが２．８以下の明るさ、半画角が３５度以上の広角化および変倍比が５倍程度の高変倍化を狙ったズームレンズ系として、物体側から順に、負の屈折力の第１レンズ群と、正の屈折力の第２レンズ群と、正の屈折力の第３レンズ群とから構成されたズームレンズ系が開示されている。正の屈折力の第２レンズ群は３枚または４枚のレンズから構成されている。
【０００３】
特許文献１のズームレンズ系は、第２レンズ群が３枚のレンズから構成されているため、特に短焦点距離端においてコマ収差や非点収差等の軸外収差の補正が不十分となってしまう。
【０００４】
特許文献２、３のズームレンズ系は、第２レンズ群が４枚のレンズから構成されているが、その最も像側に位置するレンズが球面レンズであるため、特に短焦点距離端において非点収差等の軸外収差の補正が不十分となってしまう。
【０００５】
特許文献４のズームレンズ系は、第２レンズ群が４枚のレンズから構成されており、その最も像側に位置するレンズが非球面レンズとなっている。しかし、この非球面レンズのパワー設定が不適切であるため、非点収差等の軸外収差の補正が不十分であり、かつ、第２レンズ群内の相対偏芯に対する感度が高くなりすぎて製造時の性能劣化が懸念される。
【先行技術文献】
【特許文献】
【０００６】
【特許文献１】特開２０１２−１０３６７５号公報
【特許文献２】特開２０１２−１８５３４５号公報
【特許文献３】特開２０１２−１５５０３０号公報
【特許文献４】特開２０１２−１２３２７０号公報
【発明の概要】
【発明が解決しようとする課題】
【０００７】
本発明は、以上の問題意識に基づいてなされたものであり、負正正の３群ズームレンズ系において、小型化（薄型化、レンズ全長の短縮化）を図り、Ｆナンバーが２．８以下の明るさ、半画角が３５度以上の広角化および変倍比が５倍程度の高変倍化を実現し、コマ収差や非点収差等の軸外収差を良好に補正し、第２レンズ群内の相対偏芯に対する感度を適切に設定して製造時の性能劣化を防止することを目的とする。
【課題を解決するための手段】
【０００８】
本発明のズームレンズ系は、物体側から順に、負の屈折力の第１レンズ群と、正の屈折力の第２レンズ群と、正の屈折力の第３レンズ群とから構成され、短焦点距離端から長焦点距離端への変倍に際し、第１レンズ群と第２レンズ群が物体側に移動し、第３レンズ群が像側に移動するズームレンズ系において、第２レンズ群が４枚のレンズから構成されていること；第２レンズ群中の最も像側に位置するレンズが、少なくとも一方の面に非球面を有していること；及び次の条件式（１）、（２）を満足すること；を特徴としている。
（１）２．１＜ｆｔ／ｆ２＜２．７
（２）｜ｆ２／ｆ２４｜＜０．３
但し、
ｆｔ：長焦点距離端における全系の焦点距離、
ｆ２：第２レンズ群の焦点距離、
ｆ２４：第２レンズ群中の最も像側に位置する非球面レンズの焦点距離、
である。
【０００９】
本発明のズームレンズ系は、第２レンズ群中の最も像側に位置する非球面レンズが、物体側に凸面を向けたメニスカス形状を有しており、次の条件式（３）、（４）を満足することが好ましい。
（３）−０．４０＜（ｒ２４ａ−ｒ２４ｂ）／（ｒ２４ａ＋ｒ２４ｂ）＜０．３５
（４）０．４＜ｒ２４ｂ／ｆ２＜１．３
但し、
ｒ２４ａ：第２レンズ群中の最も像側に位置する非球面メニスカスレンズの物体側の面の曲率半径、
ｒ２４ｂ：第２レンズ群中の最も像側に位置する非球面メニスカスレンズの像側の面の曲率半径、
ｆ２：第２レンズ群の焦点距離、
である。
【００１０】
第２レンズ群中の最も像側に位置する非球面レンズは、プラスチックレンズから構成することができる。
【００１１】
第２レンズ群は、物体側から順に、正レンズと、正レンズと、負レンズと、正または負の上記非球面レンズとの４枚のレンズから構成することができる。
【００１２】
第２レンズ群中の最も物体側の正レンズと最も像側の非球面レンズの間に位置する正レンズと負レンズは、接合することができる。
【００１３】
第２レンズ群中の最も物体側に位置する正レンズは、少なくとも一方の面に非球面を有することができる。
【００１４】
本発明のズームレンズ系は、第１レンズ群が、物体側から順に、負レンズと、少なくとも一方の面に非球面を有する正レンズとの２枚のレンズから構成されており、次の条件式（５）、（６）を満足することが好ましい。
（５）ｎ１２＞１．９
（６）ν１２＜２２
但し、
ｎ１２：第１レンズ群中の正レンズのｄ線に対する屈折率、
ν１２：第１レンズ群中の正レンズのｄ線に対するアッベ数、
である。
【００１５】
第１レンズ群中の負レンズは、少なくとも一方の面に非球面を有することができる。
【００１６】
本発明のズームレンズ系は、次の条件式（７）、（８）を満足することが好ましい。
（７）４．２＜ｍ２ｔ／ｍ２ｗ＜５．８
（８）１．０２＜ｍ３ｔ／ｍ３ｗ＜１．２０
但し、
ｍ２ｔ：長焦点距離端における無限遠合焦時の第２レンズ群の横倍率、
ｍ２ｗ：短焦点距離端における無限遠合焦時の第２レンズ群の横倍率、
ｍ３ｔ：長焦点距離端における無限遠合焦時の第３レンズ群の横倍率、
ｍ３ｗ：短焦点距離端における無限遠合焦時の第３レンズ群の横倍率、
である。
【００１７】
第３レンズ群は、正単レンズから構成されており、かつ、フォーカシング時に移動するフォーカスレンズ群を構成することができる。
【発明の効果】
【００１８】
本発明によれば、負正正の３群ズームレンズ系において、小型化（薄型化、レンズ全長の短縮化）を図り、Ｆナンバーが２．８以下の明るさ、半画角が３５度以上の広角化および変倍比が５倍程度の高変倍化を実現し、コマ収差や非点収差等の軸外収差を良好に補正し、第２レンズ群内の相対偏芯に対する感度を適切に設定して製造時の性能劣化を防止することができる。
【図面の簡単な説明】
【００１９】
【図１】本発明によるズームレンズ系の数値実施例１の短焦点距離端における無限遠合焦時のレンズ構成図である。
【図２】図１のように構成されたズームレンズ系の短焦点距離端における無限遠合焦時の諸収差図である。
【図３】図１のように構成されたズームレンズ系の中間焦点距離における無限遠合焦時の諸収差図である。
【図４】図１のように構成されたズームレンズ系の長焦点距離端における無限遠合焦時の諸収差図である。
【図５】本発明によるズームレンズ系の数値実施例２の短焦点距離端における無限遠合焦時のレンズ構成図である。
【図６】図５のように構成されたズームレンズ系の短焦点距離端における無限遠合焦時の諸収差図である。
【図７】図５のように構成されたズームレンズ系の中間焦点距離における無限遠合焦時の諸収差図である。
【図８】図５のように構成されたズームレンズ系の長焦点距離端における無限遠合焦時の諸収差図である。
【図９】本発明によるズームレンズ系の数値実施例３の短焦点距離端における無限遠合焦時のレンズ構成図である。
【図１０】図９のように構成されたズームレンズ系の短焦点距離端における無限遠合焦時の諸収差図である。
【図１１】図９のように構成されたズームレンズ系の中間焦点距離における無限遠合焦時の諸収差図である。
【図１２】図９のように構成されたズームレンズ系の長焦点距離端における無限遠合焦時の諸収差図である。
【図１３】本発明によるズームレンズ系の数値実施例４の短焦点距離端における無限遠合焦時のレンズ構成図である。
【図１４】図１３のように構成されたズームレンズ系の短焦点距離端における無限遠合焦時の諸収差図である。
【図１５】図１３のように構成されたズームレンズ系の中間焦点距離における無限遠合焦時の諸収差図である。
【図１６】図１３のように構成されたズームレンズ系の長焦点距離端における無限遠合焦時の諸収差図である。
【図１７】本発明によるズームレンズ系の数値実施例５の短焦点距離端における無限遠合焦時のレンズ構成図である。
【図１８】図１７のように構成されたズームレンズ系の短焦点距離端における無限遠合焦時の諸収差図である。
【図１９】図１７のように構成されたズームレンズ系の中間焦点距離における無限遠合焦時の諸収差図である。
【図２０】図１７のように構成されたズームレンズ系の長焦点距離端における無限遠合焦時の諸収差図である。
【図２１】本発明によるズームレンズ系の数値実施例６の短焦点距離端における無限遠合焦時のレンズ構成図である。
【図２２】図２１のように構成されたズームレンズ系の短焦点距離端における無限遠合焦時の諸収差図である。
【図２３】図２１のように構成されたズームレンズ系の中間焦点距離における無限遠合焦時の諸収差図である。
【図２４】図２１のように構成されたズームレンズ系の長焦点距離端における無限遠合焦時の諸収差図である。
【図２５】本発明によるズームレンズ系のズーム軌跡を示す簡易移動図である。
【発明を実施するための形態】
【００２０】
本実施形態のズームレンズ系は、全数値実施例１−６を通じて、図２５の簡易移動図に示すように、物体側から順に、負の屈折力の第１レンズ群Ｇ１と、正の屈折力の第２レンズ群Ｇ２と、正の屈折力の第３レンズ群Ｇ３とから構成されている。第１レンズ群Ｇ１と第２レンズ群Ｇ２の間（第２レンズ群Ｇ２の直前）に位置する絞りＳは、第２レンズ群Ｇ２と一体に移動する。Ｉは像面である。
【００２１】
本実施形態のズームレンズ系は、全数値実施例１−６を通じて、図２５の簡易移動図に示すように、短焦点距離端（Ｗｉｄｅ）から中間焦点距離（Ｍｉｄｄｌｅ）を介した長焦点距離端（Ｔｅｌｅ）への変倍（ズーミング）に際し、第１レンズ群Ｇ１と第２レンズ群Ｇ２の間隔が減少し、第２レンズ群Ｇ２と第３レンズ群Ｇ３の間隔が増大するように、第１レンズ群Ｇ１ないし第３レンズ群Ｇ３の全てのレンズ群が光軸方向に移動する。
【００２２】
第１レンズ群Ｇ１は、短焦点距離端から中間焦点距離を介した長焦点距離端への変倍に際し、一旦像側に移動した後に短焦点距離端の位置を超えて物体側に移動する（結果的に物体側に移動する）。
第２レンズ群Ｇ２は、短焦点距離端から中間焦点距離を介した長焦点距離端への変倍に際し、単調に物体側に移動する。
第３レンズ群Ｇ３は、短焦点距離端から中間焦点距離を介した長焦点距離端への変倍に際し、単調に像側に移動する。
【００２３】
第１レンズ群Ｇ１は、全数値実施例１−６を通じて、物体側から順に、負レンズ１１と、正レンズ１２とからなる。
負レンズ１１は、数値実施例１−３では、物体側に凸の負メニスカスレンズからなり、数値実施例４−６では、両凹負レンズからなる。
負レンズ１１は、数値実施例２、４、６では、その両面に非球面を有しており、数値実施例１、３、５では、その両面が球面となっている。なお、負レンズ１１は、その物体側と像側のいずれか一方の面だけに非球面を有していてもよい。
正レンズ１２は、全数値実施例１−６を通じて、その両面に非球面を有する物体側に凸の正メニスカスレンズからなる。なお、正レンズ１２は、その物体側と像側のいずれか一方の面だけに非球面を有していてもよい。
【００２４】
第２レンズ群Ｇ２は、数値実施例１、２、４では、物体側から順に、正レンズ２１と、正レンズ２２と、負レンズ２３と、負レンズ２４とからなる。正レンズ２２と負レンズ２３は、接合されている。
正レンズ２１は、数値実施例１、２、４では、その両面に非球面を有する両凸正レンズからなる。なお、正レンズ２１は、その物体側と像側のいずれか一方の面だけに非球面を有していてもよい。
正レンズ２２は、数値実施例１では、両凸正レンズからなり、数値実施例２、４では、物体側に凸の正メニスカスレンズからなる。
負レンズ２３は、数値実施例１では、両凹負レンズからなり、数値実施例２、４では、物体側に凸の負メニスカスレンズからなる。
負レンズ２４は、数値実施例１、２、４では、物体側に凸の負メニスカスレンズからなる。負レンズ２４は、数値実施例１、２、４では、その両面に非球面を有するプラスチックレンズからなる。なお、負レンズ２４は、その物体側と像側のいずれか一方の面だけに非球面を有していてもよい。
【００２５】
第２レンズ群Ｇ２は、数値実施例３、５、６では、物体側から順に、正レンズ２１’と、正レンズ２２’と、負レンズ２３’と、正レンズ２４’とからなる。正レンズ２２’と負レンズ２３’は、数値実施例３、５では、接合されており、数値実施例６では、接合されていない。
正レンズ２１’は、数値実施例３、５、６では、その両面に非球面を有する両凸正レンズからなる。なお、正レンズ２１’は、その物体側と像側のいずれか一方の面だけに非球面を有していてもよい。
正レンズ２２’は、数値実施例３、５では、両凸正レンズからなり、数値実施例６では、物体側に凸の正メニスカスレンズからなる。
負レンズ２３’は、数値実施例３、５では、両凹負レンズからなり、数値実施例６では、物体側に凸の負メニスカスレンズからなる。
正レンズ２４’は、数値実施例３、５、６では、物体側に凸の正メニスカスレンズからなる。正レンズ２４’は、数値実施例３、５、６では、その両面に非球面を有するプラスチックレンズからなる。なお、正レンズ２４’は、その物体側と像側のいずれか一方の面だけに非球面を有していてもよい。
【００２６】
第３レンズ群Ｇ３は、全数値実施例１−６を通じて、正単レンズ３１からなる。正単レンズ３１（第３レンズ群Ｇ３）は、フォーカシング時に移動するフォーカスレンズ（群）を構成する。
正単レンズ３１は、数値実施例１−５では、両凸正レンズからなり、数値実施例６では、像側に凸の正メニスカスレンズからなる。正単レンズ３１は、全数値実施例１−６を通じて、その両面に非球面を有している。なお、正単レンズ３１は、その物体側と像側のいずれか一方の面だけに非球面を有していてもよい。
【００２７】
本実施形態のズームレンズ系は、例えばスマートフォンのような携帯端末の撮像ユニットに搭載することを想定して開発したものであり、負正正の３群構成を必須としている。
【００２８】
より具体的に、本実施形態のズームレンズ系は、正の屈折力の第２レンズ群Ｇ２を４枚のレンズ（正レンズ２１と正レンズ２２と負レンズ２３と負レンズ２４、または、正レンズ２１’と正レンズ２２’と負レンズ２３’と正レンズ２４’）から構成し、その最も像側に位置するレンズ（負レンズ２４または正レンズ２４’）の少なくとも一方の面を非球面としている。
【００２９】
そして、本実施形態のズームレンズ系は、長焦点距離端における全系の焦点距離、並びに、第２レンズ群Ｇ２及びその最も像側に位置する非球面レンズ（負レンズ２４または正レンズ２４’）の焦点距離を最適設定している。
【００３０】
これにより、撮像ユニットに搭載するための小型化（薄型化、レンズ全長の短縮化）を図り、Ｆナンバーが２．８以下の明るさ、半画角が３５度以上の広角化および変倍比が５倍程度の高変倍化を実現し、コマ収差や非点収差等の軸外収差を良好に補正し、第２レンズ群Ｇ２内の相対偏芯に対する感度を適切に設定して製造時の性能劣化を防止することができる。
【００３１】
条件式（１）は、長焦点距離端における全系の焦点距離と、第２レンズ群Ｇ２の焦点距離との比を規定している。条件式（１）を満足することで、諸収差を良好に補正して優れた光学性能を得るとともに、レンズ全長の短縮化を図ることができる。
条件式（１）の上限を超えると、第２レンズ群Ｇ２のパワーが強くなりすぎて、諸収差の補正が難しくなってしまう。
条件式（１）の下限を超えると、第２レンズ群Ｇ２のパワーが弱くなりすぎて、レンズ全長の短縮化が難しくなってしまう。
【００３２】
条件式（２）は、第２レンズ群Ｇ２の焦点距離と、第２レンズ群Ｇ２中の最も像側に位置する非球面レンズ（負レンズ２４または正レンズ２４’）の焦点距離との比を規定している。条件式（２）を満足することで、コマ収差や非点収差等の軸外収差を良好に補正して優れた光学性能を得るとともに、第２レンズ群Ｇ２内の相対偏芯に対する感度を適切に設定して製造時の性能劣化を防止することができる。
条件式（２）の上限を超えると、第２レンズ群Ｇ２中の最も像側に位置する非球面レンズ（負レンズ２４または正レンズ２４’）のパワーが強くなりすぎて、コマ収差や非点収差等の軸外収差が過剰補正になるとともに、第２レンズ群Ｇ２内の相対偏芯に対する感度が高くなりすぎて製造時の性能劣化が起こり易くなってしまう。
【００３３】
上述したように、第２レンズ群Ｇ２中の最も像側に位置する非球面レンズ（負レンズ２４または正レンズ２４’）は、物体側に凸面を向けたメニスカス形状を有しており、これにより像面湾曲の補正を有利に行うことができる。
このレンズ構成に加えて、条件式（３）、（４）を満足することで、コマ収差や像面湾曲等の軸外収差を良好に補正して優れた光学性能を得ることができる。
条件式（３）の上限を超えると、第２レンズ群Ｇ２中の最も像側に位置する非球面レンズ（負レンズ２４または正レンズ２４’）の像側の面の曲率半径が小さくなりすぎて、コマ収差や像面湾曲等の軸外収差が過剰補正となってしまう。
条件式（３）の下限を超えると、第２レンズ群Ｇ２中の最も像側に位置する非球面レンズ（負レンズ２４または正レンズ２４’）の像側の面の曲率半径が大きくなりすぎて、コマ収差や像面湾曲等の軸外収差が補正不足となってしまう。
条件式（４）の上限を超えると、第２レンズ群Ｇ２中の最も像側に位置する非球面レンズ（負レンズ２４または正レンズ２４’）の像側の面の曲率半径が大きくなりすぎて、コマ収差や像面湾曲等の軸外収差が補正不足となってしまう。
条件式（４）の下限を超えると、第２レンズ群Ｇ２中の最も像側に位置する非球面レンズ（負レンズ２４または正レンズ２４’）の像側の面の曲率半径が小さくなりすぎて、コマ収差や像面湾曲等の軸外収差が過剰補正となってしまう。
【００３４】
上述したように、第２レンズ群Ｇ２中の最も像側に位置する非球面レンズ（負レンズ２４または正レンズ２４’）は、プラスチックレンズから構成されている。これにより、第２レンズ群Ｇ２ひいてはレンズ全系の低コスト化と軽量化を図ることができる。また、一般的にプラスチックレンズ使用時には環境変化による性能劣化が懸念されるが、本実施形態では、条件式（２）を満足することによりプラスチック非球面レンズ（負レンズ２４または正レンズ２４’）のパワーが抑えられているので、プラスチックレンズ使用時の環境変化による性能劣化を確実に防止することができる。
【００３５】
上述したように、第２レンズ群Ｇ２は、物体側から順に、正レンズ（２１または２１’）と、正レンズ（２２または２２’）と、負レンズ（２３または２３’）と、正または負の非球面レンズ（２４または２４’）との４枚のレンズから構成されており、これにより諸収差を効果的に補正することができる。
また、正レンズ（２２または２２’）と負レンズ（２３または２３’）を接合することで、諸収差をより一層効果的に補正することができる。
さらに、第２レンズ群Ｇ２中の最も物体側に位置する正レンズ（２１または２１’）の少なくとも一方の面を非球面とすることで、諸収差をより一層効果的に補正することができる。
【００３６】
上述したように、第１レンズ群Ｇ１は、物体側から順に、負レンズ１１と、少なくとも一方の面に非球面を有する正レンズ１２との２枚のレンズから構成されている。
条件式（５）、（６）は、第１レンズ群Ｇ１をこのように構成した上で、正レンズ１２のｄ線に対する屈折率、ｄ線に対するアッベ数をそれぞれ規定している。条件式（５）、（６）を満足することで、第１レンズ群Ｇ１の薄型化を図るとともに、特に短焦点距離端において倍率色収差を良好に補正して優れた光学性能を得ることができる。
条件式（５）の下限を超えると、正レンズ１２が厚くならざるを得ず、第１レンズ群Ｇ１の薄型化が困難になってしまう。
条件式（６）の上限を超えると、特に短焦点距離端において倍率色収差が補正不足となってしまう。
【００３７】
第１レンズ群Ｇ１中の負レンズ１１の少なくとも一方の面を非球面とすることで、コマ収差や像面湾曲等の軸外収差をより一層良好に補正することができる。
【００３８】
条件式（７）は、短焦点距離端から長焦点距離端への変倍に際する第２レンズ群Ｇ２の横倍率の変化、すなわち第２レンズ群Ｇ２が受け持つ変倍負担を規定している。条件式（７）を満足することで、半画角３５度以上の広角化と５倍程度の高変倍化を達成しながら、コマ収差等の諸収差を良好に補正して優れた光学性能を得ることができる。
条件式（７）の上限を超えると、第２レンズ群Ｇ２のパワーが大きく、受け持つ変倍負担が大きくなりすぎるため、特にコマ収差が補正困難となってしまう。
条件式（７）の下限を超えると、第２レンズ群Ｇ２のパワーが小さく、受け持つ変倍負担が小さくなりすぎるため、所望の変倍化が得られなくなってしまう。
【００３９】
条件式（８）は、短焦点距離端から長焦点距離端への変倍に際する第３レンズ群Ｇ３の横倍率の変化、すなわち第３レンズ群Ｇ３が受け持つ変倍負担を規定している。条件式（８）を満足することで、半画角３５度以上の広角化と５倍程度の高変倍化を達成しながら、コマ収差等の諸収差を良好に補正して優れた光学性能を得ることができる。
条件式（８）の上限を超えると、第３レンズ群Ｇ３のパワーが大きく、受け持つ変倍負担が大きくなりすぎるため、特にコマ収差が補正困難となってしまう。
条件式（８）の下限を超えると、第３レンズ群Ｇ３のパワーが小さく、受け持つ変倍負担が小さくなりすぎるため、所望の変倍化が得られなくなってしまう。無理に所望の変倍比を得ようとして第２レンズ群Ｇ２のパワーを強くしたときには、軸外収差の補正が難しくなってしまう。
【００４０】
上述したように、正単レンズ３１（第３レンズ群Ｇ３）は、フォーカシング時に移動するフォーカスレンズ（群）を構成する。これにより、フォーカシングの高速化が可能になり、フォーカシング機構の小型化や負担軽減を図ることができる。
【実施例】
【００４１】
次に具体的な数値実施例１−６を示す。諸収差図及び表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数、「E-a」は「×10-a」を示す。長さの単位は[mm]である。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００４２】
［数値実施例１］
図１〜図４と表１〜表４は、本発明によるズームレンズ系の数値実施例１を示している。図１は、短焦点距離端における無限遠合焦時のレンズ構成図である。図２、図３、図４はそれぞれ、短焦点距離端、中間焦点距離、長焦点距離端それぞれの無限遠合焦時の諸収差図である。表１は面データ、表２は各種データ、表３は非球面データ、表４はズームレンズ群データである。
【００４３】
本数値実施例１のズームレンズ系は、物体側から順に、負の屈折力の第１レンズ群Ｇ１と、正の屈折力の第２レンズ群Ｇ２と、正の屈折力の第３レンズ群Ｇ３とから構成されている。第１レンズ群Ｇ１と第２レンズ群Ｇ２の間（第２レンズ群Ｇ２の直前）に位置する絞りＳは、第２レンズ群Ｇ２と一体に移動する。第３レンズ群Ｇ３と像面Ｉの間には、光学フィルタＯＰが配置されている。
【００４４】
第１レンズ群Ｇ１は、物体側から順に、物体側に凸の負メニスカスレンズ１１と、物体側に凸の正メニスカスレンズ１２とからなる。正メニスカスレンズ１２は、その両面に非球面を有している。
【００４５】
第２レンズ群Ｇ２は、物体側から順に、両凸正レンズ２１と、両凸正レンズ２２と、両凹負レンズ２３と、物体側に凸の負メニスカスレンズ２４とからなる。両凸正レンズ２１は、その両面に非球面を有している。負メニスカスレンズ２４は、その両面に非球面を有するプラスチックレンズからなる。両凸正レンズ２２と両凹負レンズ２３は、接合されている。
【００４６】
第３レンズ群Ｇ３は、その両面に非球面を有する両凸正単レンズ３１からなる。両凸正単レンズ３１（第３レンズ群Ｇ３）は、フォーカシング時に移動するフォーカスレンズ（群）を構成する。
【００４７】
（表１）
面データ
面番号          r          d          N(d)        νｄ
1           350.000      0.59       1.80420       46.5
2             5.918      1.49
3             9.210      1.33       2.00178       19.3
4            14.014       d4
(絞り)         ∞        0.45
5             4.786      1.50       1.61881       63.8
6           -21.182      0.10
7             7.543      1.09       1.72916       54.7
8           -12.838      0.50       1.64769       33.8
9             3.290      0.37
10            5.479      0.75       1.54358       55.7
11            4.765       d11
12          104.267      1.66       1.54358       55.7
13          -10.563       d13
14             ∞        0.80       1.51680       64.2
15             ∞        0.59
＊は回転対称非球面である。
（表２）
各種データ
ズーム比（変倍比）   4.80
短焦点距離端          中間焦点距離          長焦点距離端
FNO.            2.7                   3.9                   6.6
f              4.29                  9.30                 20.59
W             38.99                 20.88                  9.62
Y              2.85                  3.50                  3.50
fB             0.59                  0.59                  0.59
L             30.79                 26.54                 32.79
d4            14.42                  5.29                  0.92
d11            2.37                  7.50                 18.34
d13            2.78                  2.53                  2.31
（表３）
非球面データ（表示していない非球面係数は0.00である）
面番号    K          A4            A6            A8            A10
3      0.000  -4.40903E-04  -2.89838E-05   1.71521E-06   -4.04535E-08
4      0.000  -7.46784E-04  -2.18146E-05   1.59500E-06   -4.76959E-08
5      0.000  -9.31747E-04  -2.21139E-05  -8.30294E-06
6      0.000   2.23472E-04  -4.46537E-05  -5.29181E-06
10     0.000  -4.07819E-03  -6.10067E-04   4.84441E-05   -5.80813E-06
11     0.000  -3.25856E-03  -5.79876E-04   1.22032E-04   -1.13887E-05
12     0.000  -4.36150E-04   1.11920E-06   6.34340E-06   -2.55963E-07
13     0.000   2.15153E-04  -8.77325E-05   1.30117E-05   -4.19936E-07
（表４）
レンズ群データ
群          始面          焦点距離
1              1            -11.24
2              5              8.48
3             12             17.74
【００４８】
［数値実施例２］
図５〜図８と表５〜表８は、本発明によるズームレンズ系の数値実施例２を示している。図５は、短焦点距離端における無限遠合焦時のレンズ構成図である。図６、図７、図８はそれぞれ、短焦点距離端、中間焦点距離、長焦点距離端それぞれの無限遠合焦時の諸収差図である。表５は面データ、表６は各種データ、表７は非球面データ、表８はズームレンズ群データである。
【００４９】
この数値実施例２のレンズ構成は、以下の点を除いて、数値実施例１のレンズ構成と同様である。
（１）第１レンズ群Ｇ１の負メニスカスレンズ１１が、その両面に非球面を有している。
（２）第２レンズ群Ｇ２において、正レンズ２２が物体側に凸の正メニスカスレンズであり、負レンズ２３が物体側に凸の負メニスカスレンズである。
【００５０】
（表５）
面データ
面番号          r          d          N(d)        νｄ
1          2500.000      0.30       1.82080       42.7
2             5.613      1.62
3             8.260      1.27       2.00178       19.3
4            13.330       d4
(絞り)         ∞        0.25
5             5.196      1.41       1.69680       55.5
6           -32.147      0.10
7             5.532      0.94       1.74330       49.2
8            17.964      0.50       1.80518       25.5
9             3.290      0.30
10            5.770      0.75       1.54358       55.7
11            5.328       d11
12           34.902      1.56       1.54358       55.7
13          -13.809       d13
14             ∞        0.80       1.51680       64.2
15             ∞        0.59
＊は回転対称非球面である。
（表６）
各種データ
ズーム比（変倍比）   4.80
短焦点距離端          中間焦点距離          長焦点距離端
FNO.            2.6                   3.9                   6.6
f              4.15                  9.33                 19.91
W             39.53                 20.78                 10.01
Y              2.85                  3.50                  3.50
fB             0.59                  0.59                  0.59
L             30.50                 25.70                 31.65
d4            14.90                  5.02                  0.90
d11            2.38                  7.50                 17.97
d13            2.83                  2.79                  2.39
（表７）
非球面データ（表示していない非球面係数は0.00である）
面番号    K          A4            A6            A8            A10
1      0.000  -2.64591E-05   1.18371E-06
2      0.000  -6.63820E-04   4.30064E-06
3      0.000  -8.04125E-04  -2.08068E-05   1.41769E-06   -3.08272E-08
4      0.000  -7.89284E-04  -1.66264E-05   1.22008E-06   -3.60000E-08
5      0.000  -9.84952E-04  -4.95792E-05  -8.98349E-06
6      0.000  -2.19009E-04  -5.77936E-05  -6.76731E-06
10     0.000   2.04448E-03  -6.69171E-04   3.02391E-04   -4.61815E-05
11     0.000   3.86560E-03  -7.29547E-04   3.89840E-04   -6.04464E-05
12     0.000   7.25899E-04  -5.37847E-05   5.82376E-06   -1.97450E-07
13     0.000   1.41115E-03  -1.36030E-04   1.07448E-05   -3.13829E-07
（表８）
レンズ群データ
群          始面          焦点距離
1              1            -11.28
2              5              8.52
3             12             18.41
【００５１】
［数値実施例３］
図９〜図１２と表９〜表１２は、本発明によるズームレンズ系の数値実施例３を示している。図９は、短焦点距離端における無限遠合焦時のレンズ構成図である。図１０、図１１、図１２はそれぞれ、短焦点距離端、中間焦点距離、長焦点距離端それぞれの無限遠合焦時の諸収差図である。表９は面データ、表１０は各種データ、表１１は非球面データ、表１２はズームレンズ群データである。
【００５２】
この数値実施例３のレンズ構成は、以下の点を除いて、数値実施例１のレンズ構成と同様である。
（１）第２レンズ群Ｇ２が、物体側から順に、両凸正レンズ２１’と、両凸正レンズ２２’と、両凹負レンズ２３’と、物体側に凸の正メニスカスレンズ２４’とからなる。両凸正レンズ２１’は、その両面に非球面を有している。正メニスカスレンズ２４’は、その両面に非球面を有するプラスチックレンズからなる。両凸正レンズ２２’と両凹負レンズ２３’は、接合されている。
【００５３】
（表９）
面データ
面番号          r          d          N(d)        νｄ
1           350.000      0.60       1.80420       46.5
2             5.895      1.62
3            10.501      1.34       2.00178       19.3
4            17.399       d4
(絞り)         ∞        0.25
5             5.178      1.40       1.61881       63.8
6           -60.491      0.10
7             6.184      1.21       1.72916       54.7
8           -12.772      0.50       1.64769       33.8
9             3.270      0.46
10            7.700      0.75       1.54358       55.7
11            7.676       d11
12           38.210      1.69       1.54358       55.7
13          -12.843       d13
14             ∞        0.80       1.51680       64.2
15             ∞        0.59
＊は回転対称非球面である。
（表１０）
各種データ
ズーム比（変倍比）   4.80
短焦点距離端          中間焦点距離          長焦点距離端
FNO.            2.7                   3.9                   6.7
f              4.26                  9.31                 20.44
W             38.82                 20.92                  9.69
Y              2.85                  3.50                  3.50
fB             0.59                  0.59                  0.59
L             31.07                 26.98                 28.04
d4            14.45                  5.12                  0.86
d11            2.25                  7.69                 19.15
d13            3.06                  2.86                  2.32
（表１１）
非球面データ（表示していない非球面係数は0.00である）
面番号    K          A4            A6            A8            A10
3      0.000  -1.14597E-04  -3.18439E-05   1.51508E-06   -2.98644E-08
4      0.000  -3.92268E-04  -3.29800E-05   1.75282E-06   -4.36544E-08
5      0.000  -1.01551E-03  -1.12876E-05  -7.21730E-06
6      0.000  -7.91411E-04   2.90873E-05  -7.59375E-06
10     0.000  -4.45115E-03  -3.39282E-04   1.33387E-04   -1.66456E-05
11     0.000  -2.53068E-03  -2.32821E-04   1.32576E-04   -1.49768E-05
12     0.000   4.33530E-04  -1.22331E-04   1.20706E-05   -3.66420E-07
13     0.000   1.17387E-03  -2.16060E-04   1.79913E-05   -4.96754E-07
（表１２）
レンズ群データ
群          始面          焦点距離
1              1            -11.27
2              5              8.77
3             12             17.89
【００５４】
［数値実施例４］
図１３〜図１６と表１３〜表１６は、本発明によるズームレンズ系の数値実施例４を示している。図１３は、短焦点距離端における無限遠合焦時のレンズ構成図である。図１４、図１５、図１６はそれぞれ、短焦点距離端、中間焦点距離、長焦点距離端それぞれの無限遠合焦時の諸収差図である。表１３は面データ、表１４は各種データ、表１５は非球面データ、表１６はズームレンズ群データである。
【００５５】
この数値実施例４のレンズ構成は、以下の点を除いて、数値実施例１のレンズ構成と同様である。
（１）第１レンズ群Ｇ１の負レンズ１１が、その両面に非球面を有する両凹負レンズである。
（２）第２レンズ群Ｇ２において、正レンズ２２が物体側に凸の正メニスカスレンズであり、負レンズ２３が物体側に凸の負メニスカスレンズである。
【００５６】
（表１３）
面データ
面番号          r          d          N(d)        νｄ
1           -93.218      0.70       1.82080       42.7
2             6.070      1.62
3             9.199      1.44       2.00178       19.3
4            15.624        d4
(絞り)         ∞        0.45
5             4.479      1.62       1.49710       81.6
6           -13.257      0.09
7             6.208      1.21       1.69680       55.5
8            29.412      0.50       1.64769       33.8
9             3.560      0.37
10            6.400      0.60       1.63548       23.9
11            4.749       d11
12           39.102      1.58       1.54358       55.7
13          -14.995       d13
14             ∞        0.80       1.51680       64.2
15             ∞        0.59
＊は回転対称非球面である。
（表１４）
各種データ
ズーム比（変倍比）   5.31
短焦点距離端          中間焦点距離          長焦点距離端
FNO.            2.6                   3.8                   6.9
f              4.13                  9.31                 21.95
W             40.73                 20.76                  9.07
Y              2.90                  3.50                  3.50
fB             0.59                  0.59                  0.59
L             32.25                 27.13                 34.28
d4            15.55                  5.38                  0.69
d11            2.34                  7.60                 19.84
d13            2.79                  2.58                  2.18
（表１５）
非球面データ（表示していない非球面係数は0.00である）
面番号    K          A4            A6            A8            A10
1      0.000   3.69693E-04  -9.28126E-06   5.17909E-08
2      0.000  -3.13349E-04   2.95518E-05  -1.05690E-06
3      0.000  -1.12218E-03  -6.95764E-08   5.47727E-07
4      0.000  -1.06504E-03  -6.71722E-06   1.00770E-06   -1.57727E-08
5      0.000  -6.43141E-04   4.88916E-06   3.85540E-06
6      0.000   1.42720E-03  -1.54785E-05   3.77836E-06
10     0.000  -3.91424E-04  -3.28973E-04  -6.39478E-05
11     0.000   3.51371E-04  -2.77576E-04  -1.11983E-05
12     0.000   2.41743E-04   2.52842E-05   3.76800E-06   -1.53359E-07
13     0.000   9.42916E-04  -9.21000E-05   1.34661E-05   -4.19966E-07
（表１６）
レンズ群データ
群          始面          焦点距離
1              1            -11.17
2              5              8.61
3             12             20.15
【００５７】
［数値実施例５］
図１７〜図２０と表１７〜表２０は、本発明によるズームレンズ系の数値実施例５を示している。図１７は、短焦点距離端における無限遠合焦時のレンズ構成図である。図１８、図１９、図２０はそれぞれ、短焦点距離端、中間焦点距離、長焦点距離端それぞれの無限遠合焦時の諸収差図である。表１７は面データ、表１８は各種データ、表１９は非球面データ、表２０はズームレンズ群データである。
【００５８】
この数値実施例５のレンズ構成は、以下の点を除いて、数値実施例１のレンズ構成と同様である。
（１）第１レンズ群Ｇ１の負レンズ１１が、両凹負レンズである。
（２）第２レンズ群Ｇ２が、物体側から順に、両凸正レンズ２１’と、両凸正レンズ２２’と、両凹負レンズ２３’と、物体側に凸の正メニスカスレンズ２４’とからなる。両凸正レンズ２１’は、その両面に非球面を有している。正メニスカスレンズ２４’は、その両面に非球面を有するプラスチックレンズからなる。両凸正レンズ２２’と両凹負レンズ２３’は、接合されている。
【００５９】
（表１７）
面データ
面番号          r          d          N(d)        νｄ
1           -96.897      0.60       1.74330       49.2
2             5.799      1.52
3            10.363      1.44       1.92286       20.9
4            19.112        d4
(絞り)         ∞        0.25
5             5.181      1.42       1.61881       63.8
6           -74.282      0.10
7             6.429      1.14       1.72916       54.7
8           -15.526      0.50       1.64769       33.8
9             3.270      0.56
10            6.888      0.83       1.54358       55.7
11            8.077       d11
12           50.057      1.69       1.54358       55.7
13          -11.757       d13
14             ∞        0.80       1.51680       64.2
15             ∞        0.59
＊は回転対称非球面である。
（表１８）
各種データ
ズーム比（変倍比）   4.71
短焦点距離端          中間焦点距離          長焦点距離端
FNO.            2.7                   3.9                   6.6
f              4.31                  9.31                 20.30
W             38.73                 20.99                  9.74
Y              2.85                  3.50                  3.50
fB             0.59                  0.59                  0.59
L             31.02                 27.51                 33.79
d4            14.17                  5.30                  0.88
d11            2.04                  8.09                 19.34
d13            3.37                  2.68                  2.13
（表１９）
非球面データ（表示していない非球面係数は0.00である）
面番号    K          A4            A6            A8            A10
3      0.000  -2.80631E-05  -3.06756E-05   1.81228E-06   -2.71493E-08
4      0.000  -3.25200E-04  -3.52058E-05   2.37496E-06   -5.37021E-08
5      0.000  -1.04901E-03   8.94005E-06  -1.17944E-05
6      0.000  -7.30784E-04   3.73186E-05  -1.28852E-05
10     0.000  -2.64559E-03  -5.67368E-04   1.66502E-04   -2.86365E-05
11     0.000  -1.36138E-03  -4.53029E-04   1.29541E-04   -2.04270E-05
12     0.000   3.47659E-04  -1.52269E-04   1.46469E-05   -4.41754E-07
13     0.000   1.15770E-03  -2.50866E-04   2.07639E-05   -5.67566E-07
（表２０）
レンズ群データ
群          始面          焦点距離
1              1            -11.38
2              5              8.93
3             12             17.69
【００６０】
［数値実施例６］
図２１〜図２４と表２１〜表２４は、本発明によるズームレンズ系の数値実施例６を示している。図２１は、短焦点距離端における無限遠合焦時のレンズ構成図である。図２２、図２３、図２４はそれぞれ、短焦点距離端、中間焦点距離、長焦点距離端それぞれの無限遠合焦時の諸収差図である。表２１は面データ、表２２は各種データ、表２３は非球面データ、表２４はズームレンズ群データである。
【００６１】
この数値実施例６のレンズ構成は、以下の点を除いて、数値実施例１のレンズ構成と同様である。
（１）第１レンズ群Ｇ１の負レンズ１１が、その両面に非球面を有する両凹負レンズである。
（２）第２レンズ群Ｇ２が、物体側から順に、両凸正レンズ２１’と、物体側に凸の正メニスカスレンズ２２’と、物体側に凸の負メニスカスレンズ２３’と、物体側に凸の正メニスカスレンズ２４’とからなる。両凸正レンズ２１’は、その両面に非球面を有している。正メニスカスレンズ２４’は、その両面に非球面を有するプラスチックレンズからなる。
（３）第３レンズ群Ｇ３の正単レンズ３１が、像側に凸の正メニスカスレンズである。
【００６２】
（表２１）
面データ
面番号          r          d          N(d)        νｄ
1           -86.464      0.40       1.82080       42.7
2             5.644      1.56
3             8.456      1.33       2.00178       19.3
4            15.383        d4
(絞り)         ∞        0.25
5             7.939      1.27       1.69680       55.5
6           -28.943      0.10
7             5.354      0.97       1.74330       49.2
8            16.244      0.07
9            13.798      0.50       1.80518       25.5
10            3.537      0.25
11            7.667      0.79       1.54358       55.7
12           12.800       d12
13          -50.000      1.53       1.54358       55.7
14           -8.735       d14
15             ∞        0.80       1.51680       64.2
16             ∞        0.59
＊は回転対称非球面である。
（表２２）
各種データ
ズーム比（変倍比）   4.87
短焦点距離端          中間焦点距離          長焦点距離端
FNO.            2.8                   4.3                   7.0
f              4.15                  9.32                 20.21
W             38.84                 20.82                  9.78
Y              2.90                  3.50                  3.50
fB             0.59                  0.59                  0.59
L             31.51                 28.23                 34.10
d4            14.77                  5.71                  0.83
d12            2.08                  9.64                 20.49
d14            4.25                  2.47                  2.37
（表２３）
非球面データ（表示していない非球面係数は0.00である）
面番号    K          A4            A6            A8            A10
1      0.000   5.91865E-04  -1.84746E-05   1.90245E-07
2      0.000  -2.79479E-04   2.14237E-05  -1.26942E-06
3      0.000  -9.37024E-04  -7.79512E-06   1.16919E-06   -2.59506E-08
4      0.000  -7.80370E-04  -1.87923E-05   1.53275E-06   -3.60000E-08
5      0.000  -2.29899E-03  -1.41171E-04  -1.86590E-05
6      0.000  -1.64414E-03  -1.68854E-04  -1.12473E-05
11     0.000   9.99576E-03   5.67970E-05   1.16772E-04   -1.09957E-05
12     0.000   1.00769E-02   2.33828E-04   1.38788E-04   -1.07973E-05
13     0.000  -9.90969E-04  -5.62167E-05   7.22033E-06   -3.46005E-07
14     0.000  -2.16104E-04  -1.14843E-04   1.05771E-05   -3.68960E-07
（表２４）
レンズ群データ
群          始面          焦点距離
1              1            -11.21
2              5              9.19
3             13             19.22
【００６３】
各数値実施例の各条件式に対する値を表２５に示す。
（表２５）
実施例１       実施例２       実施例３
条件式（１）        2.43           2.34           2.33
条件式（２）        0.08           0.03           0.02
条件式（３）       0.070          0.040          0.002
条件式（４）       0.562          0.625          0.875
条件式（５）        2.00           2.00           2.00
条件式（６）        19.3           19.3           19.3
条件式（７）        4.63           4.65           4.55
条件式（８）       1.035          1.031          1.055
実施例４       実施例５       実施例６
条件式（１）        2.55           2.27           2.20
条件式（２）        0.26           0.13           0.28
条件式（３）       0.148         -0.079         -0.369
条件式（４）       0.552          0.904          0.834
条件式（５）        2.00           1.92           2.00
条件式（６）        19.3           20.9           19.3
条件式（７）        5.13           4.30           4.29
条件式（８）       1.038          1.095          1.134
【００６４】
表２５から明らかなように、数値実施例１〜数値実施例６は、条件式（１）〜条件式（８）を満足しており、諸収差図から明らかなように諸収差は比較的よく補正されている。
【符号の説明】
【００６５】
Ｇ１  負の屈折力の第１レンズ群
１１  負レンズ
１２  正レンズ
Ｇ２  正の屈折力の第２レンズ群
２１  正レンズ
２２  正レンズ
２３  負レンズ
２４  負レンズ（非球面負メニスカスレンズ）
２１’  正レンズ
２２’  正レンズ
２３’  負レンズ
２４’  正レンズ（非球面正メニスカスレンズ）
Ｇ３  正の屈折力の第３レンズ群（フォーカスレンズ群）
３１  正単レンズ（フォーカスレンズ）
Ｓ  絞り
ＯＰ  光学フィルタ
Ｉ  像面
【図１】
2015215406.tif 000003
【図２】
2015215406.tif 000004
【図３】
2015215406.tif 000005
【図４】
2015215406.tif 000006
【図５】
2015215406.tif 000007
【図６】
2015215406.tif 000008
【図７】
2015215406.tif 000009
【図８】
2015215406.tif 000010
【図９】
2015215406.tif 000011
【図１０】
2015215406.tif 000012
【図１１】
2015215406.tif 000013
【図１２】
2015215406.tif 000014
【図１３】
2015215406.tif 000015
【図１４】
2015215406.tif 000016
【図１５】
2015215406.tif 000017
【図１６】
2015215406.tif 000018
【図１７】
2015215406.tif 000019
【図１８】
2015215406.tif 000020
【図１９】
2015215406.tif 000021
【図２０】
2015215406.tif 000022
【図２１】
2015215406.tif 000023
【図２２】
2015215406.tif 000024
【図２３】
2015215406.tif 000025
【図２４】
2015215406.tif 000026
【図２５】
2015215406.tif 000027